(57)【要約】【課題】ストライカロックをシートクッションの前後いずれからも開錠操作可能で、シート全体の跳上げも容易に行なえるよう構成する。【解決手段】ストライカロック４，５の開錠用のストラップ８，９をシートクッション２の前後双方に備え、ストライカロック８，９をシートクッション２の前後いずれからでも開錠可能で、且つ、シート全体をストラップ８，９の前後両持ちで持上げ可能に組み立て、シートクッション２の前後いずれか一方に引き出す第１のストラップ８を他方の引出し方向に延在させると共に、誘導ローラ１７を介して折り返し、その折返し部分の先端を揺動レバー１２に連結し、他方に引き出す第２のストラップ９を第１のストラップ８の折返し部分に連結し、第１と第２とが一連のストラップを備え付ける。【選択図】  図１
2004359138.tif 000002
【特許請求の範囲】
【請求項１】
シートクッションの片側部を車内の壁部に軸承枢着し、他側部をスタンド脚部で立脚支持し、揺動レバーの作動で開錠するストライカロックをスタンド脚部に備え、着座時は車体フロアより立ち上がるストライカをストライカロックでくわえ込み保持し、収納時はストライカロックをストライカから開錠外しする横跳ね収納式自動車用シートにおいて、
上記レバー作動用のストラップをシートクッションの前後双方に備え、ストライカロックをシートクッションの前後いずれからでも開錠可能で、且つ、シート全体をストラップの前後両持ちで持上げ可能に組み立てたことを特徴とする横跳ね収納式自動車用シート。
【請求項２】
シートクッションの前後いずれか一方に引き出す第１のストラップを他方の引出し方向に延ばすと共に、誘導ローラを介して折り返し、その折返し部分の先端を揺動レバーに連結し、他方に引き出す第２のストラップを第１のストラップの折返し部分に連結し、第１と第２とが一連のストラップを備え付けたことを特徴とする請求項１に記載の横跳ね収納式自動車用シート。
【発明の詳細な説明】
【０００１】
【発明の属する技術分野】
本発明は、シート全体を略水平に保って車内の壁部に跳上げ収納する横跳ね収納式自動車用シートに関するものである。
【０００２】
【従来の技術】
従来、ワゴン車等のリヤシートとしては、シートバックをシートクッションから後倒しに傾倒させてシート全体を略水平に保って車内の壁部に跳上げ収納する横跳ね収納式自動車用シートが提案されている（特許文献１）。
【０００３】
その横跳ね収納式の自動車用シートは、シートクッションの片側部を車内の壁部に軸承枢着し、他側部をスタンド脚部で立脚支持し、レバー作動開錠型のストライカロックをスタンド脚部に備えることから、着座時は車体フロアより立ち上がるストライカをストライカロックでくわえ込み保持し、収納時はストライカロックをストライカから開錠外しするよう構成されている。
【０００４】
その自動車用スライドシートにおいては、ストライカロックを開錠する操作レバーがシートクッションの前部側に備え付けられている。このため、ストライカロックの開錠操作を行なえるのがシートクッションの前部側からのみに限られている。
【０００５】
【特許文献１】
特開２００１−３２２４６５号公報
【０００６】
【発明が解決しようとする課題】
本発明は、ストライカロックをシートクッションの前後いずれからも開錠可能で、且つ、シート全体の跳上げも容易に行なえるようストライカロックの開錠用としてストラップを備える横跳ね収納式の自動車用シートを提供することを目的とする。
【０００７】
それに加えて、本発明はストライカロックの開錠用として少ない部品点数で操作し易いよう組み立てられる横跳ね収納式の自動車用シートを提供することを目的とする。
【０００８】
【課題を解決するための手段】
本発明の請求項１に係る横跳ね収納式の自動車用シートにおいては、シートクッションの片側部を車内の壁部に軸承枢着し、他側部をスタンド脚部で立脚支持し、揺動レバーの作動で開錠するストライカロックをスタンド脚部に備え、着座時は車体フロアより立ち上がるストライカをストライカロックでくわえ込み保持し、収納時はストライカロックをストライカから開錠外しするもので、レバー作動用のストラップをシートクッションの前後双方に備え、ストライカロックをシートクッションの前後いずれからでも開錠可能で、且つ、シート全体をストラップの前後両持ちで持上げ可能に組み立てることにより構成されている。
【０００９】
本発明の請求項２に係る横跳ね収納式の自動車用シートにおいては、シートクッションの前後いずれか一方に引き出す第１のストラップを他方の引出し方向に延在させると共に、誘導ローラを介して折り返し、その折返し部分の先端を揺動レバーに連結し、他方に引き出す第２のストラップを第１のストラップの折返し部分に連結し、第１と第２とが一連のストラップを備え付けることにより構成されている。
【００１０】
【発明の実施の形態】
以下、添付図面を参照して説明すると、図示実施の形態は、従来例と同様に、シートバック１をシートクッション２から後倒し可能に備え、シートクッション２の片側部を車内の壁部に軸承枢着し、他側部をスタンド脚部３で立脚支持する横跳ね収納のものとして構成されている。
【００１１】
この自動車用シートにおいては、図１で示すように前後二つのストライカロック４，５をスタンド脚部３に備え、着座時は車体フロアＦより立ち上がるストライカ６，７をストライカロック４，５でくわえ込み保持し、収納時はストライカロック４，５をストライカ６，７から開錠外しするよう構成されている。
【００１２】
そのストライカロックの開錠用としては、第１並びに第２のストラップ８，９がシートクッション２の前後双方に引き出すよう備え付けられている。この第１並びに第２のストラップ８，９は、ストライカロック４，５をシートクッション２の前後いずれからでも開錠させられるよう備え付けられ、また、シート全体をストラップ８，９の前後両持ちで持上げられるよう備え付けられている。
【００１３】
そのストライカロック４，５は、図２で示すようにストライカ６，７をくわえ込むラッチ４ａ，５ａと、ラッチ４ａ，５ａを係止するラチエット４ｂ，５ｂとで組み立てられている。前部側のラッチ４ａは、ラッチ上部とスタンド脚部３の板面との間に掛け渡す引張りスプリング１０で開錠方向に引張支持されている。後部側のラッチ５ａは、ラッチ上部とラチエット上部との間に掛け渡す引張りスプリング１１で引張支持されている。
【００１４】
ストライカロック４，５は、スタンド脚部３に支軸１２ａで軸承枢着する揺動レバー１２を備え、揺動レバー１２の中腹と前部側のラチエット４ｂとをリンクロッド１３で連結し、一方、牽引バー１４を介して揺動レバー１２の下端側と後部側のラチエット５ｂとを連結することにより、両者同時に作動するよう組み付けられている。
【００１５】
それに加えて、引張りスプリング１５が揺動レバー１３とリンクロッド１３との間に掛渡し装着されている。また、揺動レバー１２は折曲げ爪１２ｂを上部側に設けてスタンド脚部３の板面に設けた円弧状のガイド穴１６で揺動案内可能に取り付けられている。
【００１６】
ストラップ８，９としては、図２並びに図３も示すようにシートクッション２の前側に引き出す第１のストラップ８を後方方向に延ばすと共に、誘導ローラ１７を介して折り返し、その折返し部分８ａの先端を揺動レバー１２に連結し、後側に引き出す第２のストラップ９の基部９ａを第１のストラップ８の折返し部分８ａに連結することから、第１と第２とが一連のストラップとして備え付けられている。
【００１７】
誘導ローラ１７は、ローラ１７ａをスタンド脚部３の板面に取付固定するホルダー１７ｂで軸受け支持することにより縦ローラとして備え付けられている。この誘導ローラ１７を介在させることから、第２のストラップ９は手持ちループ部９ｂがシートクッション２の後部側に引出し保持されている。また、第１のストラップ８は手持ちループ部９ｂがスタンド脚部３に取り付けた軸受け金１８で引出し保持されている。
【００１８】
このように構成する横跳ね収納式自動車用シートでは、ストライカロック４，５をシートクッション２の前後いずれからでもストラップ８，９により開錠操作できるため、シート全体の跳上げ収納を容易に行なえる。また、ストラップ８，９がシートクッション２の前後双方に備え付けられていることから、シート全体をストラップ８，９の前後両持ちで簡単に持ち上げられる。
【００１９】
そのストラップ８，９は、第１のストラップ８を後方方向に延ばすと共に、誘導ローラ１７を介して折り返し、その折返し部分８ａの先端を揺動レバー１２に連結し、後側に引き出す第２のストラップ９の基部９ａを第１のストラップ８の折返し部分８ａに連結することから、少ない部品点数で操作し易いよう組み付けられる。
【００２０】
【発明の効果】
以上の如く、本発明の請求項１に係る横跳ね収納式自動車用シートに依れば、レバー作動用のストラップをシートクッションの前後双方に備え、ストライカロックをシートクッションの前後いずれからでも開錠可能で、且つ、シート全体をストラップの前後両持ちで持上げ可能に組み立てるため、ストライカロックをシートクッションの前後いずれからも容易に開錠でき、また、シート全体の跳上げも容易に行なえる。
【００２１】
本発明の請求項２に係る横跳ね収納式自動車用シートに依れば、シートクッションの前後いずれか一方に引き出す第１のストラップを他方の引出し方向に延在させると共に、誘導ローラを介して折り返し、その折返し部分の先端を揺動レバーに連結し、他方に引き出す第２のストラップを第１のストラップの折返し部分に連結し、第１と第２とが一連のストラップを備え付けることにより、ストライカロックの開錠用として少ない部品点数で操作し易いよう組み立てられる。
【図面の簡単な説明】
【図１】本発明に係る横跳ね収納式自動車用シートを示す斜視図である。
【図２】図１の横跳ね収納式自動車用シートに備えられるロック機構を側面から示す説明図である。
【図３】図１の横跳ね収納式自動車用シートに備えられるロック機構を平面から示す説明図である。
【符号の説明】
１            シートバック
２            シートクッション
３            スタンド脚部
４，５        ストライカロック
６，７        ストライカ
８，９        ストラップ
Ｆ            車体フロア
【図１】
2004359138.tif 000003
【図２】
2004359138.tif 000004
【図３】
2004359138.tif 000005